(57)【特許請求の範囲】
【請求項１】
筐体の内部に、遊技媒体を貯留可能な貯留タンクが設置される遊技機において、
前記筐体を構成する底板における前記貯留タンクの設置位置に形成されて該筐体の内外に貫通する回収孔と、
前記回収孔を閉塞可能なシャッターと、
前記シャッターを、前記回収孔を閉塞する閉塞位置と開口する開口位置との間を移動可能に前記底板に支持する支持機構とを備えると共に、
前記底板は、基板と、該基板の上面に敷設された保護板とを備え、
前記開口位置に移動したシャッターを引き出し自在に収容する収容部が、前記基板および前記保護板の間に設けられ、
前記貯留タンクに設けられ、該貯留タンクの底部に形成された開口部を開閉可能な開閉部材を備え、
前記開口部を通過した遊技媒体が前記回収孔を通過し得るよう構成された
ことを特徴とする遊技機。
【発明の詳細な説明】
【技術分野】
【０００１】
この発明は、遊技媒体を貯留可能な貯留タンクを備える遊技機に関するものである。
【背景技術】
【０００２】
従来から、遊技機としてメダル(遊技媒体)を用いたスロットマシンが知られている。スロットマシンは、外周部に識別情報としての複数種類の図柄が表示された複数のリールを備え、メダルの投入または投入ボタン(ベットボタン)の操作後に、スタートレバーの操作を契機にリールの回転が開始するよう構成されている。そして、各リールに対応して設けたストップボタンが操作されることに基づいて各リールの回転を停止し、全てのリールの回転を停止したときに予め設定された入賞役に対応する図柄の組合わせが入賞ライン上に揃った場合に、該入賞役に応じて所定枚数のメダルが払い出されるよう構成されている。
【０００３】
前記スロットマシンは、本体をなす筐体の内部に、投入口に投入されたメダルを貯留すると共に、貯留されたメダルを払い出す払出装置を備えている。また筐体の内部には、払出装置から溢れたメダルを貯留するサブタンク(貯留タンク)が配置されている。このサブタンクからのメダルの回収方法としては、該サブタンクに所定量のメダルが貯留される毎に遊技場の従業員により手作業にて回収する方法と、スロットマシンが設置される遊技機島にメダルの自動回収設備を設け、払出装置からサブタンクに溢れたメダルを自動回収設備により自動で回収する方法とがある。自動回収設備を用いる場合は、サブタンクの底部に開口を形成し、該サブタンクの開口が筐体の底板に上下方向に貫通するように形成されている回収孔に整列するようにサブタンクを底板上に設置する(例えば、特許文献１参照)。これにより、払出装置からサブタンクに溢れたメダルが開口および回収孔を介して自動回収設備に回収される。
【先行技術文献】
【特許文献】
【０００４】
【特許文献１】特開２００９−１０１０７１号公報
【発明の概要】
【発明が解決しようとする課題】
【０００５】
前記スロットマシンでは、メダルの自動回収および手作業による回収の何れの場合にも対応し得ることが求められており、従来は筐体の底板に回収孔を予め形成している。しかしながら、自動回収設備を備えていない遊技機島にスロットマシンを設置した場合は、筐体の底板に形成された回収孔が開口した形態であるため、遊技機島におけるスロットマシンの設置面と筐体の底板との隙間に挿入された針金等の不正部材を回収孔から筐体内に侵入させて、筐体内に設置されている払出装置等に対する不正行為が行われるおそれがあった。
【０００６】
すなわち本発明は、従来の技術に係る遊技機に内在する前記問題に鑑み、これらを好適に解決するべく提案されたものであって、遊技媒体の回収方法に応じて回収孔を適切な形態に切り換えて不正行為を抑制し得る遊技機を提供することを目的とする。
【課題を解決するための手段】
【０００７】
前記課題を克服し、所期の目的を達成するため、本願の請求項１に係る発明は、
筐体(11)の内部に、遊技媒体を貯留可能な貯留タンク(51)が設置される遊技機において、
前記筐体(11)を構成する底板(46)における前記貯留タンク(51)の設置位置に形成されて該筐体(11)の内外に貫通する回収孔(56)と、
前記回収孔(56)を閉塞可能なシャッター(60)と、
前記シャッター(60)を、前記回収孔(56)を閉塞する閉塞位置と開口する開口位置との間を移動可能に前記底板(46)に支持する支持機構(61a,64)とを備えると共に、
前記底板(46)は、基板(54)と、該基板(54)の上面に敷設された保護板(55)とを備え、
前記開口位置に移動したシャッター(60)を引き出し自在に収容する収容部(57)が、前記基板(54)および前記保護板(55)の間に設けられ、
前記貯留タンク(51)に設けられ、該貯留タンク(51)の底部に形成された開口部(52a)を開閉可能な開閉部材(53)を備え、
前記開口部(52a)を通過した遊技媒体が前記回収孔(56)を通過し得るよう構成されたことを要旨とする。
【０００８】
請求項１に係る発明によれば、筐体の底板に設けた回収孔をシャッターによって閉塞したり開口し得るので、貯留タンクから遊技媒体を自動回収する場合および手作業で回収する場合の何れにも適用し得る。そして、手作業で遊技媒体を回収する場合は、回収孔をシャッターで閉塞した形態とすることで、不正行為を抑制することができる。
また、シャッターを開口位置に移動した際に、該シャッターが筐体の外側に突出することはない。
【０００９】
本願には、次のような技術的思想が含まれる。
前記支持機構(61a,64)は、
前記シャッター(60)に形成されて該シャッター(60)の移動方向に延在する長孔(61a)と、
前記底板(46)に設けられると共に前記長孔(61a)に挿通される固定手段(64)とを備え、
前記シャッター(60)は、前記長孔(61a)に挿通された固定手段(64)に案内されて前記閉塞位置と開口位置との間を移動すると共に、該固定手段(64)によってシャッター(60)を底板(46)に位置決め固定し得るよう構成されたことを要旨とする。
上記構成によれば、シャッターを閉塞位置および開口位置で位置決め固定し得るので、筐体に加わる振動等によってシャッターが移動するのを防ぐことができる。
【００１０】
本願には、次のような技術的思想が含まれる。
前記底板(46)の上面における前記回収孔(56)の側方に、前記シャッター(60)の移動方向に沿って延在すると共に上方に立上がる規制壁(55b)が、前記閉塞位置のシャッター(60)における前記長孔(61a)の側方に臨む領域に亘って設けられ、該規制壁(55b)によって設置位置に設置された前記貯留タンク(51)の側方への移動を規制するよう構成されたことを要旨とする。
上記構成によれば、貯留タンクと回収孔との位置関係を適正に保持することができる。また、長孔から侵入された針金等の不正部材の移動を規制壁によって規制することができ、不正行為を抑制し得る。
【００１１】
本願には、次のような技術的思想が含まれる。
前記シャッター(60)に、該シャッター(60)を移動させる際に指を掛ける指掛け部(62)が設けられていることを要旨とする。
上記構成によれば、シャッターを移動させ易い。
【発明の効果】
【００１３】
本発明に係る遊技機によれば、回収孔の形態を、遊技媒体の回収方法に応じて適切な形態に切り換えることができると共に、不正行為を抑制し得る。
【図面の簡単な説明】
【００１４】
【図１】実施例に係るスロットマシンを示す正面図である。
【図２】実施例に係るスロットマシンの筐体に対して前扉を開放すると共にリール・制御ユニットを非収納位置に回動した状態を示す概略斜視図である。
【図３】実施例に係るスロットマシンの筐体、リール・制御ユニットおよび前扉を分解した概略斜視図である。
【図４】実施例の筐体の底板、シャッター、貯留タンクを分解した状態で前側から見た要部分解斜視図である。
【図５】実施例の筐体の底板、シャッター、貯留タンクを分解した状態で後側から見た要部分解斜視図である。
【図６】実施例のスロットマシンにおける貯留タンクの設置部を示す要部縦断正面図であって、シャッターを閉塞位置とした状態を示している。
【図７】実施例のスロットマシンにおける貯留タンクの設置部を示す要部縦断側面図であって、シャッターを閉塞位置とした状態を示している。
【図８】実施例のスロットマシンにおける貯留タンクの設置部を示す要部横断平面図であって、シャッターを閉塞位置とした状態を示している。なお、貯留タンクは取り外している。
【図９】実施例のスロットマシンにおける貯留タンクの設置部を示す要部縦断側面図であって、シャッターを開口位置とした状態を示している。
【図１０】実施例のスロットマシンにおける貯留タンクの設置部を示す要部横断平面図であって、シャッターを開口位置とした状態を示している。なお、貯留タンクは取り外している。
【発明を実施するための形態】
【００１５】
次に、本発明に係る遊技機につき、好適な実施例を挙げて、添付図面を参照して以下に説明する。なお、実施例では、遊技機として、メダル(遊技媒体)を用いてゲーム(遊技)を行うスロットマシンを例に挙げて説明する。また、以下の説明において、「前」、「後」、「左」、「右」とは、特に断りのない限り、図１に示すようにスロットマシンを前側(遊技者側)から見た状態で指称する。
【実施例】
【００１６】
(スロットマシン１０について)
実施例に係るスロットマシン１０は、図１〜図３に示すように、前側に開口する箱状に形成されて遊技店の図示しない設置枠台に設置される本体としての筐体１１と、該筐体１１の前側に開閉自在に配設された前面部材としての前扉１２とを備えている。また筐体１１には、複数の図柄(図示せず)を周囲に配置した複数(実施例では３つ)のリール１３ａ,１３ｂ,１３ｃを備えたリールユニット１４および各種制御を実行する複数の制御装置１５,１６を備えた制御ユニット１７を有するリール・制御ユニット１８と、メダルを払い出すためのホッパー装置１９が収納配置されている。
【００１７】
(筐体１１について)
前記筐体１１は、天板４５、底板４６、左側板４７、右側板４８および背板４９を相互に組み付けることで前側に開口する箱状に形成された部材であって、該筐体１１の内部に画成された収容空間２０に、前記リール・制御ユニット１８やホッパー装置１９および後述する貯留タンク５１が収納された状態で、前記前扉１２によって筐体１１の前部開口が閉じられるよう構成される。
【００１８】
(前扉１２について)
前記前扉１２は、前記筐体１１の前部開口を閉成可能な外形サイズに形成されると共に、該筐体１１の左側部に設けられて上下に離間する軸支持部７２(図３参照)に該前扉１２が回動自在に支持されて、前扉１２は、筐体１１の前部開口を閉成する閉成位置と、該筐体１１の前部開口を開放する開放位置(図２参照)との間を回動し得るよう構成されている。また前扉１２は、該前扉１２および筐体１１の右側部に設けられた施錠装置７０によって閉成位置に保持されるよう構成されており、該施錠装置７０の施錠状態を解除することで該前扉１２を開放位置に回動し得るようになっている。
【００１９】
前記前扉１２は、図２に示す如く、上部側に液晶表示装置等の表示装置２１が着脱自在に取り付けられる取付枠部２２を備えると共に、該取付枠部２２の下側には取付枠部２２の前面から前方に突出する操作盤部２３が設けられており、該操作盤部２３に各種スイッチやボタン等が設けられている。表示装置２１は、ゲームの進行に応じて種々の画像や動画等を表示するものであって、取付枠部２２に対して裏側から着脱自在に取り付けられて、該表示装置２１の表示部が取付枠部２２の前後に開口する開口部を介して前側に視認可能に臨むよう構成される。なお、取付枠部２２の開口部にはガラス等の透明部材２２ａが配設されて表示装置２１の表示部を保護している(図３参照)。前記表示装置２１で表示する画像等としては、予め設定された各種の入賞役に当選した時に、当該当選を遊技者に報知するための画像や、遊技者の興趣を向上させるようなキャラクター動画等が挙げられる。また、表示装置２１としては、例えば有機ＥＬ(Electro-Luminescence)等、その他の表示原理が異なる各種装置を用いることができる。
【００２０】
(操作盤部２３について)
前記操作盤部２３は、図１,図３に示す如く、前記前扉１２の幅方向の全長に亘って前記取付枠部２２の前面から前側に延出する上壁部２４と、該上壁部２４の前端縁から下方に延在する前壁部２５と、上壁部２４の左右両端縁から下方に延在すると共に前壁部２５の左右両端縁に接続する左側壁部２６および右側壁部２７とから構成される。操作盤部２３の上壁部２４には、図１,図３に示す如く、右端部側に偏った位置に、メダルを投入するための投入口２９が設けられると共に、左端部側に偏った位置に、スロットマシン１０の記憶手段に電子的に貯留されているクレジットメダルを１回の遊技について投入可能な最大枚数(例えば３枚)投入するＭＡＸ投入ボタン３０が設けられている。なお、実施例のスロットマシン１０では、クレジットメダルを１枚投入する投入ボタン３１が、前記前壁部２５における左端部側に偏った位置に設けられると共に、該投入ボタン３１に隣り合う位置に、前記記憶手段に電子的に貯留されているクレジットメダルや投入されたメダルを精算するための払出しボタン７１が設けられており、該払出しボタン７１を操作することでメダルが払い出されるようになっている。また、上壁部２４には、左右方向の中央に、前記表示装置２１における演出進行の表示内容等の遊技演出やその他各種の演出装置の遊技演出を、押圧操作により切り替えることが可能な演出操作ボタン２８が設けられている。
【００２１】
前記操作盤部２３の前壁部２５には、図１,図３に示す如く、左端部側に偏った位置に、遊技者の操作により前記リール１３ａ,１３ｂ,１３ｃを回転始動させてゲームを開始させるスタートレバー３２が設けられると共に、該前壁部２５の中央には、遊技者の操作により各リール１３ａ,１３ｂ,１３ｃを回転停止させるためのストップボタン３３ａ,３３ｂ,３３ｃが各リール１３ａ,１３ｂ,１３ｃに対応して横並びに設けられている。また、前記前扉１２の下部中央に、前記ホッパー装置１９から払い出されたメダルの排出口３４が設けられると共に、前扉１２の最下部に、該排出口３４から排出されたメダルを貯留する受け皿３５が設けられている。なお、前扉１２の前面には、前記操作盤部２３と受け皿３５との間の領域に、当該スロットマシン１０のモチーフとなるキャラクタ等や機種名等の各種の情報が表示された装飾パネル３６が配設されている。
【００２２】
前記スロットマシン１０では、前記投入口２９にメダルを投入するか、または前記投入ボタン３０,３１を操作すると、メダルが投入されてスタートレバー３２の操作が有効化されるようになっている。そして、有効化されたスタートレバー３２が操作されると、これに伴ってゲームが開始される。また、ゲームが開始されると、メイン制御装置１５において入賞役に当選か否かを決定する入賞役抽選が実行されて複数種類の入賞役の何れかまたははずれが決定されると共に、各リール１３ａ,１３ｂ,１３ｃが回転を開始する。その後、各ストップボタン３３ａ,３３ｂ,３３ｃの操作が有効化され、有効化されたストップボタン３３ａ,３３ｂ,３３ｃが操作されると、操作されたストップボタン３３ａ,３３ｂ,３３ｃに対応するリール１３ａ,１３ｂ,１３ｃの回転が停止される。そして、全てのリール１３ａ,１３ｂ,１３ｃが停止することで１回のゲームが終了し、このゲームの結果、予め定められた入賞役に対応する図柄の組合わせが入賞ライン上に揃った場合は、入賞した入賞役に対応付けられた処理が実行されるようになっている。
【００２３】
ここで、前記入賞役には、所定数のメダルが払い出される小役や、メダルを投入することなくゲームを実行できるリプレイ役や、次回以降に遊技者に有利な特殊ゲームが開始されるボーナス役等、その他各種の入賞役が設定されている。
【００２４】
前記前扉１２における前記取付枠部２２の前面に、前後に開口する開口部をガラス板や透明な合成樹脂材により形成された透明保護板で覆った表示窓部３７ａが設けられた前部装飾ユニット３７が着脱自在に配設されており、該前部装飾ユニット３７の表示窓部３７ａを介して前記表示装置２１の表示部がスロットマシン１０の前側から視認可能に構成される。実施例の表示装置２１は、前記リールユニット１４におけるリール１３ａ,１３ｂ,１３ｃに対応する部位の前側に重ならないように位置しており、各リール１３ａ,１３ｂ,１３ｃの図柄が前記表示窓部３７ａを介してスロットマシン１０の前側から視認し得るようになっている。実施例では、表示窓部３７ａを介してリール１３ａ,１３ｂ,１３ｃに付された複数の各種図柄が、入賞ライン上に揃い得るように縦方向に３つずつ、合計９個の図柄を視認し得るよう構成されている。なお、図１においては、表示窓部３７ａを介して視認可能な表示装置２１は図示省略してある。
【００２５】
前記前部装飾ユニット３７に、表示窓部３７ａの外周を囲繞するようにランプ装置３８が配設されると共に、動作を行う各種の可動演出装置(図示せず)が配設されている。また、前記前扉１２には、前記受け皿３５や前部装飾ユニット３７の裏側に臨む位置にスピーカ４０が夫々配設されている(図２参照)。そして、前記表示装置２１で実行される表示演出に合わせて、前部装飾ユニット３７に設けたランプ装置３８による発光演出や可動演出装置による動作演出および前扉１２に設けたスピーカ４０による音演出等を実行することで興趣を向上し得るようになっている。
【００２６】
(リール・制御ユニット１８について)
前記リール・制御ユニット１８は、図２,図３に示す如く、リール１３ａ,１３ｂ,１３ｃを備えたリールユニット１４および制御装置１５,１６を備えた制御ユニット１７を支持枠４１に組み付けてユニット化したものであって、前記筐体１１の左側部に設けられて前記前扉１２が支持される前記軸支持部７２を利用して該支持枠４１が回動自在に支持されて、リールユニット１４および制御ユニット１７が筐体１１の収容空間２０に収納された収納位置と、該リールユニット１４および制御ユニット１７が筐体１１の収容空間２０から前側に出された非収納位置(図２参照)との間をリール・制御ユニット１８が回動し得るよう構成されている。またリール・制御ユニット１８は、筐体１１および支持枠４１の右側部に設けられた係止装置７３によって収納位置に係止保持されるよう構成されており、該係止装置７３の係止状態を解除することで該リール・制御ユニット１８を非収納位置に回動し得るようになっている。
【００２７】
(リールユニット１４について)
前記リールユニット１４は、図２,図３に示す如く、前記支持枠４１の下部側に配設されている。このリールユニット１４は、支持枠４１に取り付けられて前側に開口するリールケース４２の内部に、前記３つのリール１３ａ,１３ｂ,１３ｃが横並びに配置され、各リール１３ａ,１３ｂ,１３ｃは、外周に配置された図柄を上下方向に移動し得るように左右に延在する軸を中心として回転自在に支持されている。また、各リール１３ａ,１３ｂ,１３ｃは、リールケース４２の内部に配設したステッピングモータなどのパルス制御可能な駆動モータ(図示せず)によって夫々独立して回転駆動し得るよう構成されている。そして、前記スタートレバー３２が操作されたことを契機として、駆動モータが回転駆動されて３つのリール１３ａ,１３ｂ,１３ｃが回転を開始し、前記各ストップボタン３３ａ,３３ｂ,３３ｃが操作されたことを契機として、操作された各ストップボタン３３ａ,３３ｂ,３３ｃにより回転停止が対応付けられたリール１３ａ,１３ｂ,１３ｃの駆動モータが停止するようになっている。
【００２８】
(制御ユニット１７について)
前記制御ユニット１７は、図２,図３に示す如く、前記支持枠４１におけるリールユニット１４の配設位置より上側に配設されている。この制御ユニット１７は、支持枠４１に配設された収納部材４４に、メイン制御装置１５およびサブ制御装置１６が取り付けられて構成される。実施例では、収納部材４４を構成する後壁の後面側にメイン制御装置１５が取り付けられると共に、該後壁の前面側にサブ制御装置１６が取り付けられており、該メイン制御装置１５およびサブ制御装置１６は図示しない配線を介して電気的に接続されている。メイン制御装置１５には、前記投入ボタン３０,３１、スタートレバー３２、ストップボタン３３ａ,３３ｂ,３３ｃ、駆動モータ、ホッパー装置１９等が接続される。なお、投入ボタン３０,３１、スタートレバー３２、ストップボタン３３ａ,３３ｂ,３３ｃは、該投入ボタン３０,３１、スタートレバー３２、ストップボタン３３ａ,３３ｂ,３３ｃが操作された際に操作信号を出力するスイッチを備えている。そして、メイン制御装置１５は、投入ボタン３０,３１、スタートレバー３２、ストップボタン３３ａ,３３ｂ,３３ｃ等からの操作信号の入力に基づいて、リール１３ａ,１３ｂ,１３ｃの動作制御および入賞役抽選等の、主としてスロットマシン１０の遊技に関する各種制御を行うよう構成されている。これに対してサブ制御装置１６には、前記表示装置２１、ランプ装置３８、スピーカ４０、可動演出装置等の各種演出装置が接続される。そして、サブ制御装置１６は、遊技の進行に応じた画像や動画等の選択、表示装置２１の表示態様、ランプ装置３８の発光態様、可動演出装置の動作態様およびスピーカ４０の音出力態様等に関する、主にスロットマシン１０における遊技の演出に関する各種制御を行うよう構成されている。また、サブ制御装置１６には、前記演出操作ボタン２８が接続され、該演出操作ボタン２８から操作信号の入力に基づいてサブ制御装置１６が演出装置の遊技演出を切り替え得るよう構成されている。
【００２９】
(ホッパー装置１９について)
前記収容空間２０に配置される前記ホッパー装置１９は、メダルを所定量だけ貯留可能なタンク５０と、該タンク５０に貯留されているメダルを払い出す払出し機構部１９ａとを備えている。ホッパー装置１９は、メダルの払出しの条件が成立すると、払出し機構部１９ａが作動してタンク５０のメダルを払い出すよう構成される。ここで、払出しの条件とは、所定数のメダルが払い出されるよう設定された入賞役の入賞や、前記払出しボタン７１の操作等がある。また、タンク５０には、投入口２９から投入されたメダルが貯留されるようになっている。すなわち、スロットマシン１０では、ゲームを行うために投入口２９に投入したメダルをホッパー装置１９に貯留し、該貯留したメダルを払い出し用に用いるようになっている。また、タンク５０には放出シュート５０ａが設けられており、投入口２９から投入されたメダルがタンク５０に貯留されることでタンクの貯留許容量を越えたメダルが該放出シュート５０ａから貯留タンク５１に放出されるよう構成される。なお、ホッパー装置１９は、図３に示す如く、前記底板４６の左右方向の略中央に設置され、前記放出シュート５０ａからはホッパー装置１９の右側に向けてメダルが放出されるようになっている。
【００３０】
(貯留タンク５１について)
前記貯留タンク５１は、図３,図６に示す如く、前記収容空間２０において前記ホッパー装置１９に隣り合う位置(放出シュート５０ａからのメダルの放出側)に着脱自在に配置される。この貯留タンク５１は、上方に開口するタンク本体５２を、上部開口がホッパー装置１９における前記放出シュート５０ａの下方に臨む状態で前記筐体１１の底板４６における設置位置に載置されており、該放出シュート５０ａから放出されるメダルを受容可能に構成されている(図７参照)。貯留タンク５１には、タンク本体５２の底部に設けた開口部５２ａを開閉自在に閉成可能な開閉部材５３が配設されており、スロットマシン１０からのメダル回収方法の形態に応じて開閉部材５３によって開口部５２ａを開閉し得るよう構成される。すなわち、メダルを手作業により回収する場合は、図７に示す如く、開閉部材５３により開口部５２ａを閉成した状態で貯留タンク５１を底板４６の設置位置に設置すると、ホッパー装置１９の放出シュート５０ａから放出されるメダルが貯留タンク５１に貯留される。これに対し、メダルを遊技機島に設けた自動回収設備で自動回収する場合は、図９に示す如く、開閉部材５３により開口部５２ａを開放した状態で貯留タンク５１を底板４６の設置位置に設置すると、ホッパー装置１９の放出シュート５０ａから放出されるメダルは開口部５２ａおよび底板４６に設けられた後述する回収孔５６を介して自動回収設備に回収される。
【００３１】
ここで、前記筐体１１における背板４９の内面に、前記メイン制御装置１５に接続する貯留検出装置６５が設けられており、該貯留検出装置６５は、前方に延出する検出片６５ａ,６５ａを備えている(図８,図１０)。また、前記貯留タンク５１のタンク本体５２には、後壁に通孔５２ｂ,５２ｂが形成されており、貯留タンク５１を前記設置位置に設置した状態で、貯留検出装置６５の検出片６５ａ,６５ａが通孔５２ｂ,５２ｂを介してタンク内に臨むように構成されている。そして、メダルを手作業で回収する場合には貯留検出装置６５が有効とされ、前記検出片６５ａ,６５ａがメダルを検出する量のメダルが貯留タンク５１に貯留されると、メイン制御装置１５の制御下にメダル回収を報知するよう構成されている。
【００３２】
(筐体１１の底板４６について)
前記筐体１１の底板４６は、図４,図５に示す如く、矩形板状の基板５４と、該基板５４の上面に敷設される保護板５５とから構成される。基板５４は、当該スロットマシン１０を遊技機島の設置枠台に釘等を用いて固定可能とするために好適には木材を材質として形成されるのに対し、保護板５５は強度向上および防犯を目的として好適には金属を材質として形成されている。前記底板４６には、左右方向の中央より右側に偏った前記貯留タンク５１の設置位置に対応して、内外(上下)に貫通する回収孔５６が形成されており、自動回収設備が設けられた遊技機島の設置枠台に筐体１１を設置した場合に、該回収孔５６が自動回収設備に連通するよう構成される。回収孔５６は、実施例では前後方向に長辺が延在する矩形状に形成されている。
【００３３】
前記回収孔５６は、図４〜図７に示す如く、前記基板５４に形成された通孔５４ａと、保護板５５に形成された通孔５５ａとが連通した状態で構成される。基板５４の通孔５４ａは、該基板５４の上面に形成されて下側に凹む上凹部５４ｂの内側に形成されており、基板５４の上面に保護板５５を敷設することで、該上凹部５４ｂと保護板５５との間に、回収孔５６を開閉可能な後述するシャッター６０を収容可能な収容部５７が画成されるようになっている。基板５４の通孔５４ａにおける前後の長さ寸法は、上凹部５４ｂの前後の長さ寸法より小さく設定されると共に、該通孔５４ａは、上凹部５４ｂの後端に偏って形成されている。すなわち、上凹部５４ｂと保護板５５との間に画成される収容部５７は、図４,図５,図７に示す如く、通孔５４ａの前側に所定長さで延在している。
【００３４】
前記基板５４には、通孔５４ａの形成位置より前側の上凹部５４ｂ内に、前記シャッター６０を位置決め固定するための後述するネジ６４が螺挿されるネジ孔５４ｃが形成されている。実施例では、左右に離間して一対のネジ孔５４ｃ,５４ｃが形成されると共に、該ネジ孔５４ｃ,５４ｃは、前記保護板５５における通孔５５ａの内側で上方に露出するよう構成される(図７参照)。また基板５４の下面には、図７に示す如く、上側に凹む下凹部５４ｄが前記通孔５４ａの後端から後方に延在するように形成されており、該下凹部５４ｄにシャッター６０の後述する閉塞部６３が入り込むことで、回収孔５６の後端部が隙間なく閉塞されるようになっている。
【００３５】
(シャッター６０について)
前記底板４６には、前記回収孔５６を閉塞する閉塞位置と、該回収孔５６を開口する開口位置との間を移動可能なシャッター６０が配設されており、スロットマシン１０からのメダルの回収方法に応じて該シャッター６０によって回収孔５６の形態を適切に切り換え得るよう構成されている。シャッター６０は、図４,図５に示す如く、矩形状の板金を折曲形成したものであって、平面視における前後の長さ寸法および左右の幅寸法は、前記基板５４に形成した通孔５４ａの対応する長さ寸法および幅寸法より大きく設定されて、閉塞位置において回収孔５６の全体を閉塞し得るよう構成される。また、シャッター６０は、図７,図９に示す如く、平板状の本体６１と、該本体６１の長手方向の一端に設けられた指掛け部６２と、該指掛け部６２に連設された閉塞部６３とを備え、本体６１が前記底板４６に形成された前記収容部５７に引き出し可能に収容されるようになっている。
【００３６】
前記本体６１には、図４,図５に示す如く、板厚方向に貫通すると共に前後方向(シャッター６０の移動方向)に延在する一対の長孔６１ａ,６１ａが左右方向に離間して設けられている。両長孔６１ａ,６１ａは、前記基板５４に形成した一対のネジ孔５４ｃ,５４ｃに対応しており、各長孔６１ａに上側から挿通した固定手段としてのネジ６４を対応するネジ孔５４ｃに螺挿して締付けることで、底板４６に対してシャッター６０を固定し得るよう構成される。また、両ネジ６４,６４を緩めることで、シャッター６０は、一対のネジ６４,６４で案内されて前後方向に移動し得るようになっている。なお、本体６１の幅寸法は、図６に示す如く、通孔５４ａの幅寸法より大きく、かつ前記上凹部４６ｂの幅寸法より小さく設定されており、該本体６１は基板５４における上凹部４６ｂの上面に載置された状態で移動するよう構成される。また実施例では、図８に示す如く、長孔６１ａの前端にネジ６４が位置する状態で、該ネジ６４を締付けることでシャッター６０が閉塞位置に位置決め固定され、図１０に示す如く、該長孔６１ａの後端にネジ６４が位置する状態で、該ネジ６４を締付けることでシャッター６０が開口位置に位置決め固定される。実施例では、シャッター６０に形成された長孔６１ａと、前記底板４６に設けられた(ネジ孔５４ｃに螺挿された)ネジ６４とから、該シャッター６０を底板４６に移動自在に支持する支持機構が構成される。
【００３７】
前記指掛け部６２は、図５,図７,図９に示す如く、前記本体６１から下側に折曲されて下方に延在した部分であって、該指掛け部６２に指を掛けて手前側に引くことで、シャッター６０を容易に開口位置に移動し得るよう構成される。この指掛け部６２の幅寸法は、前記通孔５４ａより僅かに短かく設定されて、本体６１を上凹部５４ｂの上面に載置した状態で、該指掛け部６２が通孔５４ａ内に臨むよう構成される。すなわち、指掛け部６２は、シャッター６０の閉塞位置および開口位置の何れの位置においても、通孔５４ａ内に臨んで底板４６(保護板５５)の上面から突出しないよう構成される。また、前記閉塞部６３は、指掛け部６２の下端から後方に延在する部分であって、該閉塞部６３は、図７に示す如く、シャッター６０の閉塞位置において底板４６(基板５４)に形成した前記下凹部５４ｄに入り込んで、前記回収孔５６の後端部に隙間ができないように機能する。なお、実施例では、シャッター６０の閉塞位置において閉塞部６３が下凹部５４ｄを画成する上側の壁の下面に当接して重なるようになっている。
【００３８】
(規制壁５５ｂについて)
前記底板４６の上面には、前記回収孔５６と前記ホッパー装置１９との間に臨む位置(回収孔５６の側方)に、上方に立上がる規制壁５５ｂが、前後方向(シャッター６０の移動方向)に沿って延在するように設けられる。この規制壁５５ｂは、図４,図５に示す如く、前記保護板５５における前記通孔５５ａの側方に臨む部分を前後方向に所定長さに亘って切り起こして形成されたものである。また規制壁５５ｂは、図６に示す如く、設置位置に設置された前記貯留タンク５１の側方に位置して、該貯留タンク５１の側方(ホッパー装置側)への移動を規制するよう構成される。更に、規制壁５５ｂは、図８に示す如く、前記閉塞位置のシャッター６０における前記長孔６１ａの側方に臨む領域に亘って設けられている。すなわち、規制壁５５ｂは、閉塞位置のシャッター６０における長孔６１ａの前後端(シャッター６０の移動方向の前後端)より外方(前方および後方)に延在しており、該長孔６１ａから収容空間２０内に侵入された針金等の不正部材がホッパー装置１９側に移動するのを規制壁５５ｂで規制し得るようになっている。
【００３９】
実施例の前記保護板５５には、前記通孔５５ａを挟んで規制壁５５ｂとは反対側の端縁部に、上方に向けて折曲形成された固定壁５５ｃが前後方向に所定長さで延在しており、該固定壁５５ｃが前記筐体１１の右側板４８の下端内面にネジ止め固定されている。そして、右側板４８によって前記設置位置に設置された貯留タンク５１の側方(ホッパー装置１９から離間する側)への移動を規制し得るよう構成される。すなわち、設置位置に設置された貯留タンク５１の左右側方への移動を、保護板５５に設けられた規制壁５５ｂおよび該保護板５５に固定された右側板４８によって規制して、該貯留タンク５１の開口部５２ａと回収孔５６との位置関係、および貯留タンク５１の上部開口と前記ホッパー装置１９の放出シュート５０ａとの位置関係が一定範囲(開口部５２ａと回収孔５６とが連通する関係、放出シュート５０ａからのメダルが貯留タンク５１内に放出される関係)となるよう設定される。
【００４０】
(実施例の作用)
次に、前述のように構成された実施例に係るスロットマシン１０の作用につき説明する。
【００４１】
前記スロットマシン１０からのメダルの回収を手作業で行う場合は、図７,図８に示す如く、前記筐体１１の底板４６に対してシャッター６０を閉塞位置で位置決め固定する。そして、前記開閉部材５３によって開口部５２ａを閉成した前記貯留タンク５１を底板４６の設置位置に設置する。この形態では、前記ホッパー装置１９のタンク５０から放出シュート５０ａを介して放出されたメダルは、前記貯留タンク５１に貯留される。そして、前記貯留検出装置６５の検出片６５ａ,６５ａがメダルを検出すると、前記メイン制御装置１５の制御下にメダル回収が報知される。
【００４２】
次に、前記スロットマシン１０からのメダルの回収を自動回収設備によって自動で行う場合は、前記筐体１１の底板４６にシャッター６０を固定している前記ネジ６４,６４を緩め、前記指掛け部６２に指を引っ掛けて手前側に引くことで、シャッター６０はネジ６４,６４に案内されて前側に移動する。そして、前記長孔６１ａ,６１ａの後端を画成する壁がネジ６４,６４に当接した位置で、該ネジ６４,６４を締付けることで該シャッター６０は開口位置に位置決め固定される(図９,図１０参照)。そして、前記開閉部材５３を移動して開口部５２ａを開放した前記貯留タンク５１を底板４６の設置位置に設置する。この形態では、前記ホッパー装置１９のタンク５０から放出シュート５０ａを介して放出されたメダルは、前記貯留タンク５１の開口部５２ａおよび底板４６の回収孔５６を介して自動回収設備に回収される。
【００４３】
また、メダルの回収を再び手作業で行う形態とする場合は、前記筐体１１の底板４６にシャッター６０を固定している前記ネジ６４,６４を緩め、該シャッター６０を後側に移動し、前記長孔６１ａ,６１ａの前端を画成する壁がネジ６４,６４に当接した位置で、該ネジ６４,６４を締付けることで該シャッター６０は閉塞位置に位置決め固定される。そして、前記開閉部材５３によって開口部５２ａを閉成した前記貯留タンク５１を底板４６の設置位置に設置することで、ホッパー装置１９から放出されたメダルを貯留タンク５１に貯留することができる。
【００４４】
実施例のスロットマシン１０では、前記筐体１１の底板４６に設けた回収孔５６をシャッター６０によって閉塞したり開口し得るので、前記貯留タンク５１からメダルを自動回収する場合および手作業で回収する場合の何れにも適用し得る。そして、手作業でメダルを回収する場合は、回収孔５６をシャッター６０で閉塞した形態とすることで、外部から回収孔５６を介して収容空間２０に不正部材を侵入させられることを防止することができ、不正行為を抑制し得る。すなわち、２種類のメダルの回収方法の何れにも適用し得るもとで、手作業での回収方法に対応する場合では回収孔５６を閉塞した形態として防犯性を高めることができる。
【００４５】
前記シャッター６０は、ネジ６４,６４によって閉塞位置および開口位置で位置決め固定し得るので、筐体１１に加わる振動等によってシャッター６０が不用意に移動するのを防ぐことができる。また、ネジ止め固定したシャッター６０は簡単には移動しないので、前記前扉１２と筐体１１との間の隙間から収容空間２０に侵入させた不正部材によってシャッター６０を移動させて回収孔５６を開放させる不正行為を防止することができる。
【００４６】
実施例のスロットマシン１０では、前記底板４６の上面における回収孔５６とホッパー装置１９との間に臨む位置に規制壁５５ｂを設けているので、該規制壁５５ｂによって設置位置に設置された貯留タンク５１の移動を規制することができる。すなわち、メダルを自動回収する場合に、貯留タンク５１の開口部５２ａと、シャッター６０により開口した回収孔５６との位置関係を適正に維持して、メダルを安定して自動回収することができる。また、ホッパー装置１９と貯留タンク５１との位置関係も適正に維持し得るので、ホッパー装置１９の放出シュート５０ａから放出されるメダルを貯留タンク５１に確実に受容することができ、メダルが収容空間２０内に飛散するのを防止できる。
【００４７】
また、前記規制壁５５ｂは、図８に示す如く、前記閉塞位置のシャッター６０における前記長孔５１ａの側方に臨む領域に亘って設けられているので、該長孔５１ａから収容空間２０内に不正部材が侵入されたとしても、該不正部材がホッパー装置１９側に移動するのを規制壁５５ｂで規制することができ、ホッパー装置１９に対して不正行為が行われるのを抑制し得る。
【００４８】
実施例の前記シャッター６０には指掛け部６２が設けられているので、該シャッター６０を閉塞位置から開口位置に簡単に移動させることができ、作業性が良い。また指掛け部６２は、収容空間２０に突出しないよう構成したので、設置位置に設置される貯留タンク５１が指掛け部６２と干渉することはない。すなわち、指掛け部６２に干渉しないように貯留タンク５１を加工する必要はなく、貯留タンク５１の構成を簡単にできる。また、指掛け部６２は板金を折曲しただけの簡単な構成であるので、コストが嵩むこともない。
【００４９】
実施例のスロットマシン１０では、前記底板４６における保護板５５と基板５４との間にシャッター６０を収容可能な収容部５７を設けているので、該シャッター６０を開口位置に移動した際に、該シャッター６０が筐体１１の外側に突出することはない。すなわち、シャッター６０を開口位置に位置させた状態でスロットマシン１０を移動する場合であっても、該シャッター６０が他のスロットマシン１０や設置枠台等に接触して破損するのを防止し得る。
【００５０】
(変更例)
本願発明は、前述した実施例の構成に限定されるものではなく、その他の構成を適宜に採用することができる。
(1) 実施例では、筐体の底板を保護板と基板との２つの部材から構成したが、１つの部材のみで構成したものであってもよい。
(2) 実施例では、シャッターを前後方向に移動して閉塞位置と開口位置とに位置させるよう構成したが、シャッターを左右方向に移動して閉塞位置と開口位置とに位置させる構成を採用し得る。
(3) 実施例の支持機構では、シャッターに２つの長孔を形成したが、該長孔は１つであってもよい。
(4) 実施例の支持機構では、シャッターに長孔を設けると共に底板にネジを設けるよう構成したが、シャッターにネジを設け、底板にネジが移動可能な長孔を形成する構成であってもよい。例えば、保護板に長孔を形成し、該長孔に挿通したネジをシャッターのネジ孔に螺挿する構成によって、シャッターを閉塞位置と開口位置との間で移動可能に支持し得ると共に、両位置でシャッターを位置決め固定することができる。この構成では、シャッターの閉塞位置において回収孔に臨む長孔が存在しないので防犯性が高い。
【００５１】
(5) 実施例の支持機構は、長孔とネジとを用いたが、シャッターを移動自在に支持し得るものであれば、突起と長溝との組合わせ等、その他各種の構成を採用することができる。
(6) 実施例では、シャッターをネジによって位置決め固定するよう構成したが、シャッターに係止爪等の係合部を設けると共に、底板に係合部が係脱自在な凹部や突部等の被係合部を設け、閉塞位置および開口位置において係合部が被係合部に係合する構成を採用し得る。なお、シャッターおよび底板に設ける係合部と被係合部との関係は逆であってもよい。
(7) 実施例では、閉塞位置と開口位置との間をシャッターが平行にスライドするよう構成したが、底板に対してシャッターを底板の板面に沿って回動可能に支持し、閉塞位置と開口位置との間をシャッターが回動する構成を採用し得る。
(8) 実施例では、保護板を切り起こして規制壁を設けたが、別部材で構成した規制壁を底板の上面にネジ止め等によって固定する構成を採用し得る。
(9) 実施例では、保護板と基板との間に収容部を設けるようにしたが、底板を１つの部材で構成した場合に、該部材の内部や裏側に収容部を設けて、該収容部にシャッターが収容される構成を採用し得る。
(10) 実施例では、当選役の報知や演出のための動画等を表示可能な表示装置を設けたスロットマシンを挙げたが、該表示装置を備えていないものであってもよい。
(11) 遊技機としては、メダルを用いるスロットマシンに限られるものではなく、遊技媒体としてパチンコ球(遊技球)を用いたパチンコ機やアレンジボール機、あるいはパチンコ球を用いたスロットマシン等、その他各種の遊技機であってもよい。
【符号の説明】
【００５２】
１１ 筐体
４６ 底板
５１ 貯留タンク
５２ａ 開口部
５３ 開閉部材
５４ 基板
５５ 保護板
５６ 回収孔
５７ 収容部
６０ シャッター
６１ａ 長孔(支持機構)
６２ 指掛け部
６４ ネジ(支持機構,固定手段)
【図１】
0006368191.tif 000002
【図２】
0006368191.tif 000003
【図３】
0006368191.tif 000004
【図４】
0006368191.tif 000005
【図５】
0006368191.tif 000006
【図６】
0006368191.tif 000007
【図７】
0006368191.tif 000008
【図８】
0006368191.tif 000009
【図９】
0006368191.tif 000010
【図１０】
0006368191.tif 000011